(57)【要約】【課題】スイッチ装置の防水構造を提供する。【解決手段】片側に開口部（２ｂ）を備えた上側の筐体（２）と、前記上側の筐体に収納され、各種操作スイッチの接点（５ｂ）が設けられた基板（５）と、前記開口部に対して出没可能に挿嵌され、押圧することにより前記接点がオン・オフされるボタン（４）とを備え、前記筐体の開口部周縁に、前記ボタンの外周部を包囲するように、略前記ボタンの移動方向に延伸した突起部（２ａ）が設けられていることを特徴とするスイッチ装置の防水構造。【選択図】          図１
2006278291.tif 000002
【特許請求の範囲】
【請求項１】
筐体と、
前記筐体に配置され、使用者が操作することによりスイッチをオン・オフする操作部とを備えたスイッチ装置において、
前記筐体は、前記筐体の外縁よりも、前記操作部近傍が高く形成されていることを特徴とするスイッチ装置の防水構造。
【請求項２】
前記操作部近傍には、前記操作部の外周部を包囲するように、前記操作部が配置されている前記筐体の面に略垂直方向に延伸した突起部が設けられていることを特徴とする請求項１に記載のスイッチ装置の防水構造。
【請求項３】
前記筐体は開口部を備え、
前記操作部は、前記開口部に対して出没可能に挿嵌され、押圧することにより前記接点をオン・オフするボタンであることを特徴とする請求項１又は２に記載のスイッチ装置の防水構造。
【請求項４】
前記突起部の上端面は、前記ボタンを押圧したときの前記ボタンの上端面よりも低いことを特徴とする請求項３に記載のスイッチ装置の防水構造。
【請求項５】
請求項１乃至４に記載のいずれかのスイッチ装置の防水構造を備えたことを特徴とする電子機器。
【発明の詳細な説明】
【技術分野】
【０００１】
本発明は、スイッチ装置の防水構造に関するものである。
【背景技術】
【０００２】
電子機器に用いられるスイッチには、防水構造がなされているものがある。特許文献１に開示された発明は、種操作スイッチの接点が設けられた基板と、前記接点に対応する部分に押圧部が設けられ、操作者が前記押圧部を押圧することにより前記接点がオン・オフされる接点押圧部材とが上側の筐体と下側の筐体との間に収納されたスイッチケースにおいて、前記接点押圧部材の周縁部を前記上側の筐体と前記下側の筐体との合わせ位置に介挿したことを特徴とするスイッチケースの防水構造に関する発明である。具体的には、特許文献１に開示された発明は、接点押圧部材の周縁部を上側の筐体と下側の筐体との合わせ位置に介挿することにより、接点押圧部材の周縁部が防水パッキングの役割を果たし、接点押圧部材と上側の筐体との隙間から流れ込んだ水が、基板にまで流れ込むのを防止している。
【０００３】
【特許文献１】特開平５−７４２６４
【発明の開示】
【発明が解決しようとする課題】
【０００４】
しかしながら上記従来の構成では、上側の筐体と下側の筐体と接点押圧部材との組み付け精度によっては、接点押圧部材の周縁部と上側の筐体及び下側の筐体との間に隙間が生じ、水が基板へ流れ込む恐れがある。また、水の浸入を防ぐためには、本来、接点押圧部材と上側の筐体との隙間に水が流れ込むこと自体を防止することが先決である。また、製造コストを低減するには、更に簡単な構造で、防水構造を形成する必要がる。
【０００５】
そこで本発明は上記の問題に鑑みてなされたものであり、スイッチ装置の防水構造を提供することを目的とする。
【課題を解決するための手段】
【０００６】
上記目的は、筐体と、前記筐体に配置され、使用者が操作することによりスイッチをオン・オフする操作部とを備えたスイッチ装置において、前記筐体は、前記筐体の外縁よりも、前記操作部近傍が高く形成されていることを特徴とするスイッチ装置の防水構造によって達成できる。
【０００７】
この構成により、筐体の外縁よりも、前記操作部近傍が高く形成されているので、筐体の表面に付着した水が、操作部に流れ込むことを防止する。
【０００８】
また、前記操作部近傍には、前記操作部の外周部を包囲するように、前記操作部が配置されている前記筐体の面に略垂直方向に延伸した突起部が設けられていることを特徴とする請求項１に記載のスイッチ装置の防水構造によっても達成できる。
【０００９】
前記操作部近傍に突起部が設けられているので、この構成によっても筐体の表面に付着した水が、操作部に流れ込むことを防止することができる。
【００１０】
また、前記筐体は開口部を備え、前記操作部は、前記開口部に対して出没可能に挿嵌され、押圧することにより前記接点をオン・オフするボタンであることを特徴とするスイッチ装置の防水構造であってもよい。
【００１１】
この構成により、ボタン式のスイッチ装置についても、防水構造を採用することができる。
【００１２】
ここで、前記突起部の上端面は、前記ボタンを押圧したときの前記ボタンの上端面よりも低く形成されている。
【００１３】
この構成により、上記のスイッチ装置の防水構造を採用したまま、ボタンの押し易さを確保することができる。
【００１４】
また、このようなスイッチ装置の防水構造を備える電子機器は、簡単な構造で防水性を高めることができる。
【発明の効果】
【００１５】
本発明によれば、スイッチ装置の防水構造を実現することができる。
【発明を実施するための最良の形態】
【００１６】
以下、本発明を実施するための最良の形態を図面とともに詳細に説明する。
【実施例１】
【００１７】
図１は、本実施例に係るスイッチ装置１の斜視図である。図２は、本実施例に係るスイッチ装置１の正面図である。図３は、本実施例に係るスイッチ装置１の側面図である。図４は、図２のＡ−Ａ断面図である。
【００１８】
スイッチ装置１は、上側の筐体２と、下側の筐体３と、円柱状のボタン４と、基板５とから構成される。上側の筐体２には、上面に、ボタン４周辺部を囲むように形成された円筒状の突起部２ａが形成されている。ボタン４の上面には、押圧部４ａが形成され、ボタン４の基板５と対向する面には、凸部４ｂが形成されている。基板５には、操作スイッチの接点５ａが設けられている。尚、基板５には、外部に接続された制御装置と基板５とを接続するコード（共に不図示）が接続されている。
【００１９】
使用者は、ボタン４の押圧部４ａを押圧することにより、ボタン４は基板５に向けて下降する。ボタン４は基板５に向けて下降することにより、ボタン４の凸部４ｂが、基板５の接点５ａと接触する。凸部４ｂと接点５ａとが接触することにより、スイッチがオン・オフされる。
【００２０】
ここで、前述したように、上側の筐体２には、上面に、ボタン４周辺部を囲むように形成された円筒状の突起部２ａが形成されている。この突起部２ａにより、上側の筐体２の表面に付着した水が、開口部２ｂとボタン４との隙間に流れ込むことを防止する。このようにして、本実施例に係るスイッチ装置１は、簡単な構造で、スイッチ装置１の内部に水が侵入することを防いでいる。
【００２１】
図５は、ボタン４の押圧部４ａを押圧したときに、ボタン４の位置が最も低い位置でのスイッチ装置１の側面図である。図５に示すように、突起部２ａの上端面は、ボタン４の押圧部４ａを押圧したときのボタン４の上端面よりも低くなるように設計されている。ボタン４の押圧部４ａを押圧したときに、ボタン４の上端面より、突起部２ａの上端面のほうが高いと、押圧部４ａを押圧しにくいから
である。
【実施例２】
【００２２】
次に、図６を参照して実施例２に係るスイッチ装置１ａについて説明する。このスイッチ装置１ａの基本構成は実施例１のスイッチ装置１と同様である。よって、スイッチ装置１と同一の部分には同じ符号を付すことで重複する説明を省略する。図６はスイッチ装置１ａの断面図を示している。この図６は実施例１の図４と対応している。
【００２３】
図６に示すように、スイッチ装置１ａの上側の筐体２に設けられた突起部２ｃは、上側の筐体２の外縁から、開口部２ｂにかけて傾斜角が徐々に大きくなるように曲面状に形成されている。突起部２ｃをこのような形状にすることにより、スイッチ装置１ａは実施例１に係るスイッチ装置１と同様の効果を有する。即ち、上側の筐体２の表面に付着した水が、開口部２ｂとボタン４との隙間に流れ込むことを防止する。
【００２４】
以上本発明の好ましい一実施形態について詳述したが、本発明は係る特定の実施形態に限定されるものではなく、特許請求の範囲に記載された本発明の要旨の範囲内において、種々の変形・変更が可能である。例えば、上記の実施例のごとくボタン式のスイッチ装置に限らず、スライド式のスイッチ装置や、ダイヤル式のスイッチ装置についても適用可能である。
【図面の簡単な説明】
【００２５】
【図１】本実施例に係るスイッチ装置１の斜視図である。
【図２】本実施例に係るスイッチ装置１の正面図である。
【図３】本実施例に係るスイッチ装置１の側面図である。
【図４】図２のＡ−Ａ断面図である。
【図５】ボタン４の位置が最も低い位置でのスイッチ装置１の側面図である。
【図６】スイッチ装置１ａの断面図である。
【符号の説明】
【００２６】
１、１ａ    スイッチ装置
２          上側の筐体
２ａ、２ｃ  突起部
２ｂ        開口部
３          下側の筐体
４          ボタン
４ａ        押圧部
４ｂ        凸部
５          基板
５ａ        接点
【図１】
2006278291.tif 000003
【図２】
2006278291.tif 000004
【図３】
2006278291.tif 000005
【図４】
2006278291.tif 000006
【図５】
2006278291.tif 000007
【図６】
2006278291.tif 000008